(57)【要約】  出射開口と１つの軸線とを有する凹面状のリフレクタ（７）を備えたライトユニットであって、リフレクタが、軸方向に沿って延びる光源を取り囲んでおり、該光源が、開いた端部を有する円筒状の保護管（１６）によって間隔を置いて取り囲まれており、該保護管の開口側の端部に防眩装置（１９）が取り付けられている形式のものにおいて、防眩装置（１９）が金属薄板であり、該金属薄板がアンチバースト用保護管に被せられており、防眩装置が、所定の最大直径を有する半球形の閉鎖部分を有しており、該閉鎖部分に、より大きな直径を有する真っ直ぐな円筒状の区分が一体成形されており、該円筒状の区分に、突出した傘形シールド（２１）が付設されている。
2008529246.tif 000002
【特許請求の範囲】
【請求項１】
出射開口と１つの軸線とを有する凹面状のリフレクタを備えたライトユニットであって、リフレクタが、軸方向に沿って延びる光源を取り囲んでおり、該光源が、開いた端部を有する円筒状の保護管によって間隔を置いて取り囲まれており、該保護管の開口側の端部に防眩装置が取り付けられている形式のものにおいて、防眩装置が、保護管の端部に被せられており、防眩装置が、円筒状の区分を有しており、該円筒状の区分が保護管に固定されていることを特徴とするライトユニット。
【請求項２】
防眩装置がカバーキャップを有している、請求項１記載のライトユニット。
【請求項３】
前記円筒状の区分に、突出した傘形シールドが付設されている、請求項１記載のライトユニット。
【請求項４】
前記カバーキャップが、閉鎖部分として半球形のカバーまたは真っ直ぐなカバーを有している、請求項１記載のライトユニット。
【請求項５】
前記円筒状の区分の直径が、半球形の閉鎖部分の最大直径よりも５〜２０％大きく形成されている、請求項４記載のライトユニット。
【請求項６】
前記円筒状の区分と閉鎖部分との間に段状の段部が形成されている、請求項５記載のライトユニット。
【請求項７】
保護管のリフレクタ側の端部が、取付けのために膨隆されており、保護管のリフレクタ側の端部が、前記円筒状の区分の直径に内部から適合されていて、防眩装置が、ストッパとして働く段部によって形状接続的にかつ／または摩擦接続的に、特にクランプ式に保護管に固定されていて、特に該防眩装置に設けられたエンボス加工部または環状の押込み成形部によりアシストされて固定されている、請求項２記載のライトユニット。
【請求項８】
当該ライトユニットが、光源を保持するベースを有している、請求項１記載のライトユニット。
【請求項９】
保護管が、そのベース側の端部の近傍に溝または所定の区分にわたって凹部を有しており、該溝または凹部内に、適当に成形されたばねクリップが固定されており、該ばねクリップが２つの脚を有していて、これによって保護管の端部を跨ぐように把持しており、外側の脚が外方へ向かって曲げられていて、該外側の脚が、防眩装置の円筒状の区分の内壁にクランプ式に接触している、請求項１記載のライトユニット。
【請求項１０】
当該ライトユニットが、リフレクタランプとして形成されている、請求項１記載のライトユニット。
【請求項１１】
防眩装置が成形部品、特に金属薄板から成る成形部品である、請求項１記載のライトユニット。
【請求項１２】
カバーキャップが、平坦なカバーを備えたポットの形に形成されている、請求項２記載のライトユニット。
【請求項１３】
防眩装置が、保持ブラケットによってリフレクタに締付け固定されている、請求項１記載のライトユニット。
【請求項１４】
前記カバーに、保持ブラケットを案内するための凹部が設けられている、請求項１２記載のライトユニット。
【請求項１５】
前記凹部の一部がアイレットとして形成されており、該アイレット内に保持ブラケットが位置固定されている、請求項１４記載のライトユニット。
【発明の詳細な説明】
【技術分野】
【０００１】
技術分野
本発明は、請求項１の上位概念部に記載の形式の、リフレクタ付きのライトユニット（reflektorbehaftet. Lichteinheit）、つまり出射開口と１つの軸線とを有する凹面状のリフレクタを備えたライトユニットであって、リフレクタが、軸方向に沿って延びる光源を取り囲んでおり、該光源が、開いた端部を有する円筒状の保護管によって間隔を置いて取り囲まれており、該保護管の開口側の端部に防眩装置が取り付けられている形式のライトユニットに関する。このようなリフレクタ付きのライトユニットは、特にリフレクタランプまたはリフレクタを装備した照明器具である。このライトユニット内部の光源は、特に高圧放電ランプであるが、しかしこのためには白熱ランプも適している。本発明はさらに、このようなリフレクタ付きのライトユニットにおける使用のための構成ユニットに関する。
【０００２】
背景技術
国際公開第２００４／０４６６０９号パンフレットに基づき、凹面状のリフレクタと、高圧放電ランプとして構成されている光源とを備えたライトユニットが公知である。この場合、光源のための防眩装置が破裂防止のためのアンチバースト用保護管（Berstschutzrohr）に組み付けられており、このアンチバースト用保護管が光源を取り囲んでいる。この目的のために、アンチバースト用保護管は環状の凹部を有しており、この凹部内にヘルメット形の防眩装置が固定されている。
【０００３】
このような保持装置において不都合となるのは、固定手段を提供するためにアンチバースト用保護管が手間をかけて前処理されなければならず、そして防眩装置に、固定のための特別な機構が装備されなければならないことである。
【０００４】
発明の開示
本発明の課題は、請求項１の上位概念部に記載の形式のライトユニットを改良して、簡単に組み付けることができかつ自動化のために好適となるようなライトユニットを提供することである。
【０００５】
この課題は、請求項１の特徴部に記載の特徴により解決される。特に有利な構成は請求項２以下に記載されている。
【０００６】
詳細には、本発明の対象は、出射開口と１つの軸線とを有する凹面状のリフレクタを備えたライトユニットであって、リフレクタが、軸方向に沿って延びる細長い光源を取り囲んでおり、該光源が、開いた端部を有する円筒状の保護管によって間隔を置いて取り囲まれており、該保護管の開口側の端部に防眩装置が取り付けられている形式のものである。この場合、防眩装置は金属薄板であり、この金属薄板は破裂防止のためのアンチバースト用保護管に被せられている。この場合、アンチバースト用保護管は、所定の最大直径を有する半球形の閉鎖部分を有しており、この閉鎖部分には、より大きな直径を有する真っ直ぐな円筒状の区分が一体成形されている。この円筒状の区分には、突出した傘形シールドが付設されている。
【０００７】
円筒状の区分の直径が、閉鎖部分の最大直径よりも５〜２０％大きく形成されていると有利である。この場合、両部分の間の結合は特に段状の段部によって形成される。
【０００８】
アンチバースト用保護管のリフレクタ側の縁部は、滴形に膨隆されていると有利である。このことは特にフレ―ムラウンディング（火炎丸味付け）によって簡単に可能となる。この場合、アンチバースト用保護管のリフレクタ側の端部は円筒状の区分の直径に内部から適合されているので、防眩装置はストッパである段部によってアンチバースト用保護管にクランプ式に装着されている。
【０００９】
特に当該ライトユニットは、光源を保持するベースを有している。このベースはさらにアンチバースト用保護管および場合によってはリフレクタを保持することができる。
【００１０】
アンチバースト用保護管がそのベース側の縁部においても滴形に膨隆されていて、ひいては特に適当に成形されたエンボス加工部または溝により、リフレクタネック部によってクランプ式に保持され得るようになっていると、特に簡単な保持が得られる。リフレクタネック部の変形加工部は一般に滴形の膨隆部のすぐ上方に位置していなければならない。滴形の膨隆部の代わりに、保持手段としては孔を使用することもできる。その場合、この孔内にリフレクタネック部が、たとえばクリンプ結合により固定される。
【００１１】
当該ライトユニットは特にリフレクタランプあるいはまたリフレクタ照明器具である。
【００１２】
当該ライトユニットは主として光源として働くメタルハライドランプである。典型的な出力範囲は２０〜１５０Ｗである。光源には、特に破裂防止を媒介する保護管の他に付加的に防眩キャップが取り付けられている。白熱ランプとしての使用も可能である。
【００１３】
防眩キャップは光源に被せられ、これによりリフレクタにおける眩惑が回避される。
【００１４】
保護管はガラス状の材料から製造されていて、特に硬質ガラスまたは石英ガラスから成っている。保護管は円筒状の管であり、この管は２つの側で開いている。本発明はアンチバースト用保護管における防眩装置の簡単な機械的固定を達成する。防眩装置は有利には金属薄板であるが、しかし必ずしも金属薄板である必要はない。すなわち、防眩装置は耐熱性のプラスチック（HTプラスチック）またはポリマセラミックから製作されていてもよい。「ポリマセラミック」とは、ポリマ・セラミック複合材料またはポリマ・マトリックス複合材料またはポリマ・セラミックコンポジットとも呼ばれる材料から成るセラミックスを意味する。この場合、コンポジット材料は無機であるか、有機であるか、または有機成分と無機成分とからの混合物であってよい。
【００１５】
このような物質自体は、たとえば教材「Ｗｅｒｋｓｔｏｆｆｅ」（出版社Springerverlag、ISBN 3540573259）のような文献から知られている。公知の材料は、たとえば無機ポリマから成る炭化物材料および窒化物材料である。シリコンカーボンニトリドセラミック（Siliciumcarbonnitrid-Keramiken）の熱安定性は極めて高い。
【００１６】
特にアンチバースト用保護材料の肉厚さは約０．２〜１．５ｍｍであり、金属薄板の場合にはさらに薄くなり、その他の材料の場合にはそれよりも厚くなる。防眩キャップはこの場合、観察者にとって光源の発光中心を直接に見ることが不可能となるようなジオメトリ（幾何学的形状）を有し、かつ観察者にとって光源の発光中心を直接に見ることが不可能となるようにアンチバースト用保護管に固定されている。
【００１７】
詳細には、防眩装置は１つの部分から製作されていてよく、有利には防眩装置は深絞り成形された金属薄板であるが、しかし深絞りプレス成形（tiefgedrueckt.）された金属薄板も可能である。非金属材料の場合には、防眩装置が射出成形されていてよい（プラスチックまたはポリマセラミック）。しかし、防眩装置は複数の部分から形成されていてもよい。これらの部分は互いに溶接されていてよいが、しかしクリンプ結合されているか、曲げられているか、クリップ結合されているか、または射出成形により囲繞されていてもよい。
【００１８】
防眩装置のジオメトリ（幾何学的形状）は、防眩装置がアンチバースト用保護管に装着された後に、発光する部分、たとえば放電管がもはや目に見えなくなるように選択されている。「アンチバースト用保護管」とは、有利には放電管もしくは最も内側のバルブを破裂から保護する保護装置を意味するが、しかしこのような保護装置だけを意味するものではない。保護管からは、高温の内容物質が流出しないことが望ましい。クリップ等の付加的な保持エレメントなしの自己支持能力を備えた構造の場合、保護管の上側の開口縁部には、フレームラウンディング（火炎丸味付け）または別の手段により隆起部またはフランジ付設部が一体成形される。この場合、直径の増大は５〜１０％のオーダにあることが望ましくかつ２０％を超過しないことが望ましい。
【００１９】
このような自己支持能力を備えた構造の場合、保護バルブをベース範囲に、たとえばパテ接合によって形状接続的に、つまり係合に基づいた嵌合によって固定することもできる。防眩キャップを特に確実に位置固定するためには、防眩キャップに係止結合部、特にばね弾性的なエレメントが設けられている。この係止結合部は保護管の隆起部またはフランジを介した接合時にオーバプッシングによってスナップイン式の係止を生ぜしめ、ひいては大きな振動の際でも脱落を防止する。
【００２０】
具体的には、このためには細長いエンボス加工部が適している。これらのエンボス加工部は円筒状の区分の全周にわたって均一に分配されている。この場合、これらのエンボス加工部は滴形の膨隆部とまさに、該滴形の膨隆部がちょうど段部とエンボス加工部の上端部との間の室にスナップイン式に係合して係止され得るように調和されている。
【００２１】
係止結合部は、ばね弾性的なエレメントを有しているか、または別のジオメトリを示していてもよい。１つの例は、フレームラウンディング（火炎丸み付け）されたガラス膨隆部をスナップインさせるための種々異なる形状付与を有する、解錠されたラグ（ausgeklinkte Laschen）または別個に組み付けられたばね舌片である。
【００２２】
フレームラウンディング、つまり火炎丸み付けは、ガスバーナのフレーム（火炎）を用いて形成される。フレームラウンディングは自由に丸味付けされた状態で、表面張力に基づいて形成される１つの滴を発生させることができる。しかし、フレームによる加熱後に、加熱された縁部がまだ十分に温かい場合には、成形工具に当て付けることができる。この場合、それぞれ変形させたい管を回転させることが推奨される。フレームラウンディングの技術自体は古くから知られているが、しかし保護管／防眩キャップの組合せとの関連では高い節約ポテンシャルを発揮する。
【００２３】
第２の構成は、自己支持能力を有しない構造である。この場合、防眩キャップはほぼ同様に、ただし段部なしにかつ一定の直径を持って成形されている。場合によっては存在していたクランプ室も不要となる。この場合、固定のためにはクランプブラケットが働く。クランプブラケットは線材または金属薄板から形成されていて、有利には円形または方形の横断面を備えたばね鋼から成っている。１本の線材は１〜３ｍｍの直径を有していると有利である。クランプブラケットは保護管に被せ嵌められた防眩キャップに被せられる。クランプブラケットの自由端部はリフレクタに設けられた対応する切欠き、たとえばスリットまたは孔内にロックされる。
【００２４】
クランプブラケットは、有利にはフラットに形成されている防眩キャップのカバーにおいて凹部、切欠きまたはエンボス加工部内に案内され、こうして固定が改善される。
【００２５】
凹部は特に、屋根付けされた通路として形成されたアイレット部分を有していてよい。これにより、クランプブラケットはアイレット内への手繰り込み後にもはや防眩キャップから分離され得なくなる。リフレクタに対するクランプブラケットの結合は形状接続（特に線材の場合に端部の折曲げ）によるか、または摩擦接続（特にブラケットの純然たるばね力または摩擦による保持）によって行なわれ得る。保護バルブはこうして間接的に同じく摩擦接続的に位置固定される。
【００２６】
使用領域はとりわけ、特にコンパクトに形成されたメタルハライドダンプを主体としたリフレクタランプである。
【００２７】
図面
以下に、本発明の複数の実施例を図面につき詳しく説明する。
【００２８】
図１は、リフレクタランプを側方から見た断面図（図１ａ）および拡大詳細図（図１ｂ）であり；
図２は、ヘルメット形の防眩装置の１実施例を示す側面図であり；
図３は、リフレクタランプの別の実施例を示す断面図（図３ａ）および図３ａに示したリフレクタランプを９０゜だけ回転させた状態で示す断面図（図３ｂ）ならびに防眩装置の詳細図（図３ｃ）であり；
図４は、防眩装置の別の実施例を示す斜視図であり；
図５は、図４に示した防眩装置を備えたリフレクタランプのさらに別の実施例を示す斜視図であり；
図６は、リフレクタランプのさらに別の実施例を示す斜視図であり；
図７は、図６に示したリフレクタランプの断面図であり；
図８は、図７に示したリフレクタランプの円で囲んだ範囲を拡大して示す詳細図であり；
図９は、ヘルメット形の防眩装置のための保持装置を単独で示す斜視図であり；
図１０は、図９に示したヘルメット形の防眩装置のための保持装置を備えたリフレクタランプのさらに別の実施例を示す斜視図であり；
図１１は、リフレクタランプのさらに別の実施例を示す斜視図であり；
図１２は、リフレクタランプのさらに別の実施例を示す断面図であり；
図１３は、図１２に示したリフレクタランプのための管を単独で示す詳細図である。
【００２９】
図面の説明
図１ａには、リフレクタランプ１が図示されている。このリフレクタランプ１は内部管（Innengefaess）２を備えている。この内部管２は放電管（Entladungsgefaess）３を有しており、この放電管３は外部バルブ４によって取り囲まれている。内部管２はベースに設けられた中央の開口に嵌め込まれている。ベースの主要部分はセラミック素材から成るベース絶縁体（Sockelstein）５である。内部管２は破裂防止のためのアンチバースト用保護管６によって間隔を置いて取り囲まれている。このアンチバースト用保護管６は円筒状に形成されていて、軸平行に位置調整されている。アンチバースト用保護管６自体はアルミニウムから成るリフレクタ７によって取り囲まれている。このリフレクタ７はネック部８と輪郭部９とを有している。ネック部８の直径は、外部からアンチバースト用保護管６の直径にルーズに適合されていると有利である。両部分はベース絶縁体５に装着されている。
【００３０】
アンチバースト用保護管６の縁部はその端部１０において両側でフレームラウンディング（火炎丸味付け；Flammverrundet）されているので、これらの縁部はそれぞれ横断面滴形の膨隆部１１ａ，１１ｂを有している。しかし、縁部が、火炎処理後になお付加的に成形されている場合には別の形状、たとえば外方へ向いた長靴形の膨隆部を有していてもよい。
【００３１】
アルミニウム製のリフレクタ７のネック部８はセラミック素材から成るベース絶縁体５にクリンプ結合（vercrimpen）されている。この目的のためには、ベース絶縁体５に側方の孔１４が設けられている。ネック部８はこの場合、ベースに設けられた段状の切欠き１５内に案内されている。
【００３２】
アンチバースト用保護管６のベース側の膨隆部１１ｂはネック部８内に締付け固定されている。アンチバースト用保護管６はベース絶縁体５の上面１６に載着されている。
【００３３】
さらに、リフレクタ開口の中央の個所には防眩装置１９が取り付けられている。防眩装置１９は成形部品であり、有利には金属薄板部品であるが、しかしＨＴプラスチックまたはポリマセラミックであってもよい。防眩装置１９はカバーキャップ１２を備えており、このカバーキャップ１２は半球形の閉鎖部分２３と、段部２２を持って付設された円筒状の区分２０とから成っている。円筒状の区分２０の直径は半球形の閉鎖部分２３の最大直径よりも約１０％だけ大きく形成されている。円筒状の区分２０のベース側の端部には、斜めに突出したつば２１が一体成形されている。
【００３４】
閉鎖部分２３と円筒状の区分２０との間の段部２２はアンチバースト用保護管６のリフレクタ側の端部のためのストッパとして働く。アンチバースト用保護管６の縁部はこの場合にもフレームラウンディングされているので、円筒状の区分２０はこの縁部の膨隆部１１ａにクランプ式に接触している。
【００３５】
図１ｂには、アンチバースト用保護管６の開口側の滴形の膨隆部１１ａと、アンチバースト用保護管６の、リフレクタの開口に向けられた端部１０に載着されたカバーキャップ１２との間の形状接続的（係合に基づいた嵌合による結合）および摩擦接続的な結合を示す詳細図である。
【００３６】
カバーキャップ２５の別の実施例（図２）では、円筒状の区分２６がその全周にわたって均一に、軸平行に配置されたエンボス加工部（Sicken）２７を備えている。これらのエンボス加工部２７のリフレクタ側の端部は、滴形の膨隆部１１ａがちょうど段部２２とエンボス加工部２７の端部との間の室内にばね弾性的に係合してロックされるように設定されている。
【００３７】
リフレクタランプ２９の別の実施例（図３ａおよび図３ｂ）では、カバーキャップ３１が、平坦なカバー３２と真っ直ぐな側壁３３とを備えたポットの形に形成されるように防眩装置３０が形成されている。取付けは、このカバーキャップ３１のカバー３２またはその他の部分を介して張設されたＵ字形のクランプブラケット３４によって行われる。このクランプブラケット３４はリフレクタの輪郭部３６に設けられた開口３５ａから輪郭部３６の反対の側に設けられた別の開口３５ｂにまで張設されている。たいていクランプブラケット３４は、典型的に０．５〜２ｍｍの直径を有する線材である。カバー３２は有利にはクランプブラケット３４のガイド部、たとえば一貫して延びる凹み３６（図３ｃに示した防眩装置の断面図参照）を有している。
【００３８】
防眩装置の別の実施例では、カバーキャップに設けられた凹み３７が小穴状のアイレット３８によって中断されている（図４）。このアイレット３８内には、最初は真っ直ぐな状態を保持したクランプブラケット３９（このブラケットはその後で初めて天井状に曲げられるので、ブラケットは真っ直ぐなセンタ部分を有する）がまずは手繰り込まれ、そして図５に示した曲げ過程の後にリフレクタに設けられたスリット４０内に固定される。図５には、所属のリフレクタランプが図示されている。
【００３９】
図６からは、リフレクタランプ２９において、アンチバースト用保護管がアルミニウム製のリフレクタ４５によって外部から固定されることが判る。リフレクタ４５のネック部４６は環状の押込み成形部４７を有している。この押込み成形部４７はアンチバースト用保護管（見えていない）の滴形の膨隆部のすぐ上方でこのアンチバースト用保護管を位置固定している。
【００４０】
図７にはリフレクタランプの断面図が示されている。図７から判るように、一方ではネック部４６がアンチバースト用保護管４８を押込み成形部４７によって長靴形の膨隆部４９を介して保持しており、他方ではネック部４６が、ベース絶縁体５１に設けられた孔５０内に、クリンプ結合または打抜き成形された舌片５２によって固定されている（図８の詳細図参照）。
【００４１】
さらに別の実施例（図９、図１０）では、ポット状のカバーの側壁５５と、突出したつば５６との間の屈曲部に投げ縄状に成形されている線材ブラケット５４が接触していることによりカバーキャップ５３が固定されている。この線材ブラケット５４は１つの完全なループ５８を有していて、リフレクタ壁における固定のために側方に突出した２つの自由な端部５７を備えている。図１０には、リフレクタランプ全体が図示されている。この場合、アンチバースト用保護管には滴形の膨隆部が必要とならない。なぜならば、このアンチバースト用保護管は自己支持能力を備えた構造体であるからである。自己支持能力を備えた構造体の場合、膨隆部の代わりにブラケットが必要となり、この場合、このブラケットの端部はフック５９によってリフレクタ壁に固定されている。
【００４２】
２つのクランプブラケット６０を使用することも可能である。カバーキャップ６１はこの場合、突出したつば６２を有しており、クランプブラケット６０は向かい合って位置する２つの側でつば６２に載着されていて、カバーキャップ６１をクランプ式に保持している（図１１に示したリフレクタランプの実施例参照）。
【００４３】
保護管は、保護管のその他の機能または別の機能を排除することなしに、しばしば「アンチバースト用保護管」と呼ばれている。保護管は一方の端部にのみ滴形の膨隆部を有していてもよいので、たとえばカバーキャップの、自己支持式の保持が、保護管のベース側の端部における、膨隆部をベースとした保持と組み合わされている。
【００４４】
図１２に示したリフレクタランプ６５では、アンチバースト用保護管６６がそれぞれ上端部と下端部とに環状の溝６７を有している。ばねクリップ６８が設けられていて、このばねクリップ６８は、このばねクリップが書類用のタブ（Reiter）のように管の端部にスナップ式に装着されるように成形されている。この場合、複数のタブもしくはばねクリップ６８が管の全周にわたって分配されている（図１３参照）。タブは原理的にＵ字形に曲げられている。Ｕ字形のタブはＵ字体を形成する互いに異なる長さの脚を備えており、この場合、外側に位置する長脚７０と、内側に位置する短脚６９とが設けられている。外側に位置する長脚７０はＳ字形に湾曲されているので、この長脚７０は第１に溝６７内に係合して保持されており、第２にこの長脚７０の開いた端部は外側に向かって曲げられている。この場合この端部は、長脚７０がカバ―キャップ７２の内壁にクランプ式に押圧される程度にまで曲げられている。内側の短脚６９は、この短脚６９が外側の長脚７０と共にアンチバースト用保護管６６の端部をクランプ式に保持するように軽度に曲げられている。環状の溝は当然ながら局所的な凹部、くぼみ等により代えられていてよい。
【００４５】
カバーキャップは当然ながら、突出した傘形シールドを必ずしもその機能のために必要とするわけではないが、しかしこのような傘形シールドは光源の所望のシールドのためには有利である。
【００４６】
光源は、たとえばハロゲン白熱ランプまたは高圧放電ランプであってよい。
【図面の簡単な説明】
【００４７】
【図１ａ】リフレクタランプを側方から見た断面図である。
【図１ｂ】図１ａに示したリフレクタランプの円で囲んだ範囲を拡大して示す詳細図である。
【図２】ヘルメット形の防眩装置の１実施例を示す側面図である。
【図３ａ】リフレクタランプの別の実施例を示す断面図である。
【図３ｂ】図３ａに示したリフレクタランプを９０゜だけ回転させた状態で示す断面図である。
【図３ｃ】図３ａに示した防眩装置を単独で示す詳細図である。
【図４】防眩装置の別の実施例を示す斜視図である。
【図５】図４に示した防眩装置を備えたリフレクタランプのさらに別の実施例を示す斜視図である。
【図６】リフレクタランプのさらに別の実施例を示す斜視図である。
【図７】図６に示したリフレクタランプの断面図である。
【図８】図７に示したリフレクタランプの円で囲んだ範囲を拡大して示す詳細図である。
【図９】ヘルメット形の防眩装置のための保持装置を単独で示す斜視図である。
【図１０】図９に示したヘルメット形の防眩装置のための保持装置を備えたリフレクタランプのさらに別の実施例を示す斜視図である。
【図１１】リフレクタランプのさらに別の実施例を示す斜視図である。
【図１２】リフレクタランプのさらに別の実施例を示す断面図である。
【図１３】図１２に示したリフレクタランプのための管を単独で示す詳細図である。
【図１ａ】
2008529246.tif 000003
【図１ｂ】
2008529246.tif 000004
【図２】
2008529246.tif 000005
【図３ａ】
2008529246.tif 000006
【図３ｂ】
2008529246.tif 000007
【図３ｃ】
2008529246.tif 000008
【図４】
2008529246.tif 000009
【図５】
2008529246.tif 000010
【図６】
2008529246.tif 000011
【図７】
2008529246.tif 000012
【図８】
2008529246.tif 000013
【図９】
2008529246.tif 000014
【図１０】
2008529246.tif 000015
【図１１】
2008529246.tif 000016
【図１２】
2008529246.tif 000017
【図１３】
2008529246.tif 000018
【国際調査報告】
2008529246.tif 000019
2008529246.tif 000020
2008529246.tif 000021
2008529246.tif 000022
2008529246.tif 000023
2008529246.tif 000024